(57)【要約】【課題】原稿載置台に載置されている原稿がカラー原稿かモノクロ原稿であるかを、装置構成を複雑化することなく、確実に判定可能とする。【解決手段】カラースキャナ１は、プラテンガラス２の下方に配置される色判定センサ２１群および判定用光源２２群と、一部もしくは全部の色判定センサ２１の出力に基づいて、原稿のカラーモノクロ判定を行なうカラーモノクロ判定部１６と、カラーモノクロ判定の結果に基づいて、画像処理部１４を制御するＭＰＵ１７と、を備えると共に、色判定センサ２１は、ＲＧＢ各色にそれぞれ感応するフォトセル２４Ｒ・２４Ｇ・２４Ｂを一つずつ備えるＲＧＢカラーセンサとし、色判定センサ２１の受光範囲Ｒをすべて合わせた全受光範囲が、プラテンガラス２上の全範囲を覆うように、色判定センサ２１の配置数および配置位置が設定される。【選択図】図３
2006148195.tif 000002
【特許請求の範囲】
【請求項１】
原稿載置台に載置された原稿の画像を読み取って読取画像データを出力する読取手段と、
前記読取画像データに画像処理を施して画像処理済データを出力する画像処理部と、
を備える画像処理装置であって、
原稿載置台の下方に配置される色判定センサ群および光源群と、
一部もしくは全部の前記色判定センサの出力に基づいて、原稿色を判定する原稿色判定手段と、
前記原稿色判定の結果に基づいて、前記画像処理部を制御する制御手段と、
を備え、
前記色判定センサの受光範囲をすべて合わせた全受光範囲が、前記読取手段により読取り可能な前記原稿載置台上の全範囲を覆うように、前記色判定センサの配置数および配置位置が設定されている、
ことを特徴とする画像処理装置。
【請求項２】
前記原稿色判定手段により判定した原稿色に基づいて、原稿種別を判定する原稿種別判定手段を備え、
前記制御手段は、前記原稿種別判定の結果に基づいて、前記画像処理部を制御する、
ことを特徴とする請求項１に記載の画像処理装置。
【請求項３】
前記色判定センサ群および光源群は、格子点状に配置される、
ことを特徴とする請求項１または請求項２に記載の画像処理装置。
【請求項４】
前記色判定センサ群は、各色判定センサから原稿載置面までの距離が短い領域に配置される短距離センサ群と、前記距離が長い領域に配置される長距離センサ群と、からなり、
短距離センサ群の配置密度は、長距離センサ群の配置密度よりも疎とされる、
ことを特徴とする請求項１から請求項３のいずれかに記載の画像処理装置。
【請求項５】
前記光源群は、各光源から原稿載置面までの距離が短い領域に配置される短距離光源群と、前記距離が長い領域に配置される長距離光源群と、からなり、
長距離光源群の配置密度は、短距離光源群の配置密度よりも疎とされる、
ことを特徴とする請求項１から請求項４のいずれかに記載の画像処理装置。
【請求項６】
前記光源群は、各光源から放射された光が原稿載置面で反射して各判定センサに入射するまでの光経路長さが短い領域に配置される短経路光源群と、前記光経路長さが長い領域に配置される長経路光源群と、からなり、
長経路光源群を構成する各光源の光量は、短経路光源群を構成する各光源の光量よりも大とされる、
ことを特徴とする請求項１から請求項５のいずれかに記載の画像処理装置。
【請求項７】
前記色判定センサ群を構成する各色判定センサの出力に基づいて、原稿載置台上の原稿載置領域を特定する原稿載置領域検出手段を備え、
前記原稿色判定手段は、特定された原稿載置領域に対応する部位に配置された色判定センサの出力に基づいて、原稿色の判定を行なう、
ことを特徴とする請求項１から請求項６のいずれかに記載の画像処理装置。
【請求項８】
前記原稿種別判定手段での原稿種別の判定は、前記色判定センサの出力に基づくカラーモノクロ判定により原稿がカラー原稿であるかモノクロ原稿であるかの判定であって、
この原稿種別の判定において、例外的にモノクロ原稿であると判定するカラーの原稿色を例外色として登録する例外色記憶手段を備え、
前記原稿種別判定手段は、色判定センサの出力に基づく原稿色が、前記例外色記憶手段に登録されたカラーと一致する場合には、モノクロ原稿であると判定する、
ことを特徴とする請求項２に記載の画像処理装置。
【発明の詳細な説明】
【技術分野】
【０００１】
本発明は、原稿載置台に載置された原稿の画像を読み取って読取画像データを出力する読取手段、を備える画像処理装置の技術に関する。
【背景技術】
【０００２】
従来より、読取対象の原稿がカラー原稿であるかモノクロ原稿であるかを、ユーザがカラー／モノクロ指定を行なわなくても、自動的に判定して、原稿の読取を行なう画像処理装置が知られている。
このような画像処理装置は、ＣＣＤで読取ったデータに基づいて、カラー／モノクロ判定を自動的に行なうものであるが、次のような方式でカラー／モノクロ判定を行なうものである。
（１）カラー原稿として読取りを行い、その読取データに基づいてカラー／モノクロ判定を行なう方式である。この読取データは、カラー／モノクロ判定に用いられるだけでなく、印字用の画像データとしても用いられる。
このような方式でカラー／モノクロ判定を行なう技術としては、例えば、特許文献１に開示される技術がある。特に、特許文献１は、この方式において、カラー／モノクロ判定の誤判定防止を主たる目的とした技術である。
（２）実際の読取りに先立って、通常の読み取りに比して低解像度の読取りであるプレスキャンを行なうことで、カラー／モノクロ判定を行なう方式である。
このような方式でカラー／モノクロ判定を行なう技術としては、例えば、特許文献２に開示される技術がある。
【特許文献１】特許第３４４０８９７号公報
【特許文献２】特開２００４−８８３１８号公報
【発明の開示】
【発明が解決しようとする課題】
【０００３】
（１）の方式の場合、判定結果が出るまで、画像データをメモリに蓄積しておく必要があり、画像処理装置の構成が複雑化してしまう。
通常の読取りの場合、ＣＣＤからの出力データは、原稿画像の一ラインの読取毎に、つまり一ラインの出力データ毎に、カラー／モノクロ印字に対応した画像変換処理に加えて容量縮小化を含む画像処理を受ける。つまり、通常の画像処理装置では、読取りの画像解像度の精度にもよるが、原稿画像の一画面を読取ったＣＣＤからの出力データを、そのまま縮小化処理を施すことなくメモリに記憶させると、メモリの容量を圧迫することになる。すなわち、ＣＣＤからの出力データを原稿画像一画面分、そのまま蓄積可能な構成とすると、メモリの大容量化等が必要であり、装置構成の複雑化を招くことになる。
【０００４】
（２）の方式の場合、プリスキャン自体の所要時間が短くても、プリスキャンを実行してカラー／モノクロ判定を行なった後に、通常の読取りが行なわれるため、スキャンに要する総所要時間が長くなってしまう。
【０００５】
（１）・（２）のどちらの方式の場合も、画像読取用のＣＣＤで読取った、原稿画像一画面の画像データを用いてカラー／モノクロ判定を行なうため、判定処理に用いるデータ量が多く、判定用の構成が複雑となる問題がある。
例えば、通常の画像処理装置では、原稿載置台上のカラー（モノクロ）原稿の原稿画像一画面のデータ量は、定型Ａ３サイズで解像度６００ｄｐｉとした場合、７０１６画素×９９２１ライン、約７０００万画素分のデータになる。
つまり、前述の判定処理を可能とするには、前記メモリの大容量化だけでなく、判定処理に関わる画像処理を、データ量の大きな画像データの処理に対応したものとする必要がある。このため、従来方式におけるカラー／モノクロ判定においては、専用のハードウェアにより判別処理が行なわれるものとなっている。
【０００６】
そこで、判定用のデータ量を削減する目的で、ＣＣＤ出力による原稿画像一画面の画像データを間引いて、カラー／モノクロ判定を行なうことが考えられるが、この場合、正確な判定を行なうことができない。
例えば、ＣＭＹ（シアン・マゼンタ・イエロー）三色の微小なドットからなるカラードットで印刷されてＫ（黒）色が形成され、目視ではモノクロの原稿の場合、原稿一画面の全画素を平均化したデータではなく、原稿一画面の全画素より一部を間引いたデータを用いると、その原稿はモノクロ原稿であるにも関わらず、カラー原稿と判定されてしまうことになる。
そこで、以上のような間引きの不具合を防止しつつ、判定用のデータ量を削減するため、ＣＣＤ出力を一定データ量毎（例えば一ライン毎）に平均化処理し、判定に用いるデータ量を削減することが考えられる。この場合は、間引きによる不具合は防止されるが、平均化処理のための構成を設ける必要があるなど、画像処理装置の構成を複雑化することになる。
【０００７】
つまり、解決しようとする問題点は、原稿載置台に載置されている原稿がカラー原稿かモノクロ原稿であるかを、装置構成を複雑化することなく、確実に判定可能とする点である。
【課題を解決するための手段】
【０００８】
本発明の解決しようとする課題は以上の如くであり、次にこの課題を解決するための手段を説明する。
【０００９】
即ち、請求項１においては、
原稿載置台に載置された原稿の画像を読み取って読取画像データを出力する読取手段と、
前記読取画像データに画像処理を施して画像処理済データを出力する画像処理部と、
を備える画像処理装置であって、
原稿載置台の下方に配置される色判定センサ群および光源群と、
一部もしくは全部の前記色判定センサの出力に基づいて、原稿色を判定する原稿色判定手段と、
前記原稿色判定の結果に基づいて、前記画像処理部を制御する制御手段と、
を備え、
前記色判定センサの受光範囲をすべて合わせた全受光範囲が、前記読取手段により読取り可能な前記原稿載置台上の全範囲を覆うように、前記色判定センサの配置数および配置位置が設定されている、ものである。
【００１０】
請求項２においては、
前記原稿色判定手段により判定した原稿色に基づいて、原稿種別を判定する原稿種別判定手段を備え、
前記制御手段は、前記原稿種別判定の結果に基づいて、前記画像処理部を制御する、ものである。
【００１１】
請求項３においては、
前記色判定センサ群および光源群は、格子点状に配置される、ものである。
【００１２】
請求項４においては、
前記色判定センサ群は、各色判定センサから原稿載置面までの距離が短い領域に配置される短距離センサ群と、前記距離が長い領域に配置される長距離センサ群と、からなり、
短距離センサ群の配置密度は、長距離センサ群の配置密度よりも疎とされる、ものである。
【００１３】
請求項５においては、
前記光源群は、各光源から原稿載置面までの距離が短い領域に配置される短距離光源群と、前記距離が長い領域に配置される長距離光源群と、からなり、
長距離光源群の配置密度は、短距離光源群の配置密度よりも疎とされる、ものである。
【００１４】
請求項６においては、
前記光源群は、各光源から放射された光が原稿載置面で反射して各判定センサに入射するまでの光経路長さが短い領域に配置される短経路光源群と、前記光経路長さが長い領域に配置される長経路光源群と、からなり、
長経路光源群を構成する各光源の光量は、短経路光源群を構成する各光源の光量よりも大とされる、ものである。
【００１５】
請求項７においては、
前記色判定センサ群を構成する各色判定センサの出力に基づいて、原稿載置台上の原稿載置領域を特定する原稿載置領域検出手段を備え、
前記原稿色判定手段は、特定された原稿載置領域に対応する部位に配置された色判定センサの出力に基づいて、原稿色の判定を行なう、ものである。
【００１６】
請求項８においては、
前記原稿種別判定手段での原稿種別の判定は、前記色判定センサの出力に基づくカラーモノクロ判定により原稿がカラー原稿であるかモノクロ原稿であるかの判定であって、
この原稿種別の判定において、例外的にモノクロ原稿であると判定するカラーの原稿色を例外色として登録する例外色記憶手段を備え、
前記原稿種別判定手段は、色判定センサの出力に基づく原稿色が、前記例外色記憶手段に登録されたカラーと一致する場合には、モノクロ原稿であると判定する、ものである。
【発明の効果】
【００１７】
本発明の効果として、以下に示すような効果を奏する。
【００１８】
請求項１においては、
原稿色の判定に用いるデータ量がＣＣＤを用いる場合に比して小であり、原稿色の判定のために専用のハードウェアを用意することなく、汎用のＣＰＵやＤＳＰを用いて処理が可能である。加えて、原稿の色情報の取りこぼしがないので、正確な原稿色の判定が可能である。
【００１９】
請求項２においては、請求項１の効果に加えて、
原稿種別に応じた画像処理が、手動で指定しなくても自動で実行される。
【００２０】
請求項３においては、請求項１または請求項２の効果に加えて、
原稿載置台の全領域からの色情報の検出において、領域によって色情報の重みにムラが生じるなどの不具合が防止され、この領域全体で均一な原稿色の判定を行なうことができる。
【００２１】
請求項４においては、請求項１から請求項３のいずれかの効果に加えて、
原稿載置台の全領域からの色情報の検出において、領域によって色情報の重みにムラが生じるなどの不具合が防止され、この領域全体で均一な原稿色の判定を行なうことができる。
【００２２】
請求項５においては、請求項１から請求項４のいずれかの効果に加えて、
原稿載置台の全領域からの色情報の検出において、領域によって色情報の重みにムラが生じるなどの不具合が防止され、この領域全体で均一な原稿色の判定を行なうことができる。
【００２３】
請求項６においては、請求項１から請求項５のいずれかの効果に加えて、
原稿載置台の全領域からの色情報の検出において、領域によって色情報の重みにムラが生じるなどの不具合が防止され、この領域全体で均一な原稿光の判定を行なうことができる。
【００２４】
請求項７においては、請求項１から請求項６のいずれかの効果に加えて、
原稿サイズの違いによって、原稿の色情報の検出に取りこぼしが発生したり、原稿のない部分の色情報をも原稿の色情報と誤認したりするような不具合がなく、正確なカラーモノクロ判定が実行される。
【００２５】
請求項８においては、請求項２の効果に加えて、
カラー原稿であるからと言って一律に自動的にモノクロに対応した画像処理が行なわれることがなく、カラー原稿の背景色を無視したい場合など、利用者の便宜に応えた画像処理の自動化が実現される。
【発明を実施するための最良の形態】
【００２６】
図１を用いて、本発明の画像処理装置の一実施の形態であるカラースキャナ１の全体構成を説明する。
カラースキャナ１はフラットベッドタイプのスキャナであり、そのケーシング７の上面には、読取対象の原稿９が載置されるプラテンガラス２が設けられている。ケーシング７の内部で、プラテンガラス２の下方には、読取用光源１０を備える第一ミラーキャリッジ３、第二ミラーキャリッジ４、レンズ５、ＣＣＤ６等が配置されている。
【００２７】
また、ケーシング７の上面一端部には、プラテンガラス２を開閉するプラテンカバー８が回動自在に設けられている。
加えて、ケーシング７の上面には、プラテンカバー８の開閉を検出する開閉２６が設けられている。この開閉センサ２６は、接触押圧式のスイッチであり、プラテンカバー８がプラテンガラス２を完全に閉鎖する直前の回転位置に到達すると、スイッチが入るように構成されている。このため、この開閉センサ２６により、プラテンガラス２が完全に閉鎖される直前のタイミングを検出することが可能である。
【００２８】
原稿の読取手段の構成を説明する。
この読取手段は、原稿光を光電変換して出力するＣＣＤ（Ｃｈａｒｇｅ  Ｃｏｕｐｌｅｄ  Ｄｅｖｉｃｅｓ）６と、原稿に光を照射してその反射光をＣＣＤ６へ送る光学系装置と、から構成される。
この光学系装置は、読取用光源１０およびミラー１１を備える第一ミラーキャリッジ３と、ミラー１２・１３を備える第二ミラーキャリッジ４と、レンズ５により構成されている。読取用光源１０、ミラー１１・１２・１３は、プラテンガラス２の幅方向にわたる長手部材であり、この幅方向がこの読取手段における読取の主走査方向である。
【００２９】
そして、読取用光源１０より原稿９に照射された光の反射光が、第一ミラーキャリッジ３のミラー１１より、第二ミラーキャリッジ４のミラー１２・１３を経て、レンズ５で幅方向で縮められてＣＣＤ６へと送られる。この原稿光（原稿９の反射光）がＣＣＤ６で光電変換されて、デジタルデータとしての読取画像データが作成される。
ここでＣＣＤ６に送られる原稿光（原稿９の反射光）は、ミラー１１の直上に位置する原稿９の帯状画像（一ライン画像）に対応する原稿光であり、定位置にある第一ミラーキャリッジ３により読取が可能なのは、一ラインの原稿画像である。
そこで、原稿９の全面を読取可能とすべく、第一ミラーキャリッジ３は、プラテンガラス２の縦方向に沿って移動するように構成されている。この縦方向が、この読取手段における読取の副走査方向である。そして、副走査方向に沿って第一ミラーキャリッジ３を移動させながら、一ラインの原稿読取を連続的に行なうことで、原稿９の全面の原稿画像が読取られる。
なお、原稿の９の読取面からＣＣＤ６に至る光路長が変化しないようにするため、第一ミラーキャリッジ３の移動距離と、第二ミラーキャリッジ４の移動距離とが、２：１に常時保たれるように、第二ミラーキャリッジ４が第一ミラーキャリッジ３に連動して移動するように構成されている。
【００３０】
図２を用いて、前記読取画像データに関わる手段について説明する。
カラースキャナ１には、前記読取画像データに関わる装置として、前記ＣＣＤ６に加えて、ＡＦＥ２７、Ａ／Ｄ変換部２８、画像処理部１４と、メモリ１５と、が備えられている。
ここで、ＣＣＤ６より出力された読取画像データはアナログ信号であるので、ＡＦＥ２７およびＡ／Ｄ変換部２８を経て、読取画像データはデジタルデータに変換された状態で、画像処理部１４へと送られる。
ＡＦＥ（アナログフロントエンド）２７は、アナログ／デジタル変換を行なうために、アナログ信号を整形処理する装置である。このアナログ信号の整形処理には、ゲイン調整も含まれている。
また、Ａ／Ｄ変換部２８は、アナログ／デジタル変換を行なう装置であり、この装置に入力されたアナログ信号は、この装置よりデジタルデータとして出力される。
【００３１】
画像処理部１４は、ＣＣＤ６で読み取った読取画像データを、カラーもしくはモノクロの印字用画像データに変換する手段である。この変換処理は二種類の処理を含むものである。一つは、ＲＧＢ画像データである読取画像データをＣＭＹＫ画像データである印字用画像データに変換することであり、もう一つは、印字用データをカラー印字用もしくはモノクロ印字用として作成することである。
また、メモリ１５は、画像処理部１４で処理された印字用画像データを記憶する手段である。
【００３２】
画像処理部１４における画像処理は、原稿画像の一ラインの読取毎に行なわれるものであり、つまりＣＣＤ６より出力される一ラインの読取画像データ毎に行なわる。この一ラインのデータは、順次、メモリ１５に記憶される。そして、最終的に、原稿画像一画面に対応する印字用画像データが、メモリ１５内に蓄えられる。
【００３３】
前記画像処理部１４における画像処理を、より詳しく説明する。
前記読取手段は、カラー原稿の読取りが可能な読取り手段であり、原稿画像をカラーの画像データとして読取を行なって、読取画像データを出力する。そして、原稿のカラー／モノクロ判定（後述）によりモノクロ原稿であると判定された場合は、画像処理部１４における印字用画像データの作成に際して、カラー画像データをモノクロ画像データに変換する。
【００３４】
前記読取画像データは、光の三原色であるＲＧＢ（レッド・グリーン・ブルー）の三色に対応したデータである。これに対して、印字用画像データは、印字用の各色であるＣＭＹＫ（シアン・マゼンタ・イエロー・ブラック）に対応したデータである。つまり、画像処理部１４は、読取画像データに対して、ＲＧＢ色からＣＭＹＫ色への色変換処理を行なって、印字用画像データを作成する。
ここで、モノクロ用の印字用画像データを作成する場合は、変換後のデータである印字用画像データはＣＭＹＫ四色のうちＫ一色により作成される。一方、変換前のデータとしては、読取画像データを構成するＲＧＢ三色のデータのうちいずれか一色のデータがあればよく、例えば、Ｇデータをモノクロデータとして用いることができる。また、ＲＧＢ三色から輝度データを生成し、これらの輝度データをモノクロデータとして用いることもできる。
つまり、画像処理部１４は、作成する印字用画像データがカラー用かモノクロ用かで、ＣＭＹＫの四色のデータで構成するか、Ｋの単色のデータで構成するかを、切換えるものである。
【００３５】
図２に示すように、カラースキャナ１には、原稿画像のカラーモノクロ判定を行なうための手段として、カラーモノクロ判定部１６が備えられている。
このカラーモノクロ判定の判定材料としてのデータを検出する手段として、色判定センサ部２０が、カラースキャナ１に設けられている。
色判定センサ部２０では、その構成については詳しくは後述するが、プラテンガラス２上の原稿９の全面に渡る色情報が検出される。そして、カラーモノクロ判定部１６では、その判定方法については詳しくは後述するが、色判定センサ部２０より出力される原稿９の全面の色情報を元にして、カラーモノクロ判定が行なわれる。
【００３６】
また、カラースキャナ１には、プラテンガラス２上の原稿９の載置エリアを特定する手段として、原稿載置エリア判定部１８も設けられている。
前記カラーモノクロ判定部１６におけるカラーモノクロ判定は、色判定センサ部２０から出力される色情報のうち、原稿載置エリア判定部１８で特定された原稿載置エリアに対応する部位からの色情報のみに基づいて、行なわれる。
原稿載置エリア判定部１８での原稿載置エリアの判定方法についても、詳しくは後述する。
【００３７】
なお、色判定センサ部２０には多数の色判定センサ２１が備えられ、これらの色判定センサ２１から色情報の検出信号がアナログ信号として出力されるが、原稿載置エリア判定部１８やカラーモノクロ判定部１６では、アナログ信号の状態で、前記色情報に基づく各種判定が可能である。
また、色判定センサ２１からのアナログ信号の出力を、Ａ／Ｄ（アナログ／デジタル）変換して、デジタルデータの状態で、原稿載置エリア判定部１８やカラーモノクロ判定部１６での判定を行なうようにしても良い。
【００３８】
カラースキャナ１には、カラースキャナ１内の各部を制御するＭＰＵ１７が備えられている。
ＭＰＵ１７は、色判定センサ部２０で得られたデータに基づいてカラーモノクロ判定部１６に原稿のカラーモノクロ判定を行なわせ、その判定結果に基づいて、画像処理部１４における画像処理を制御する。
つまり、画像処理部１４において、プラテンガラス２上の原稿がカラー原稿の場合は、カラーの印字用画像データが作成され、プラテンガラス２上の原稿がモノクロ原稿の場合は、モノクロの印字用画像データが作成される。
【００３９】
図１、図３を用いて、色判定センサ部２０の構成を説明する。
色判定センサ部２０は、色判定センサ２１・２１・・・の群と、判定用光源２２・２２・・・の群と、からなっており、これらの各群はプラテンガラス２の下方に配置されている。色判定センサ２１および判定用光源２２の配置構成については、詳しくは後述するが、これらのセンサおよび光源は、ケーシング７の内部底面上に、平面視で格子縞模様を描くように、互い違いに配置される。
色判定センサ２１は、プラテンガラス２上の原稿９の原稿光（原稿９の反射光）を検出して、原稿の色情報に関わるデータを出力する手段である。また、判定用光源２２は、色判定センサ２１に対応して設けられるものであり、プラテンガラス２上の原稿９を照射して、原稿光（原稿９の反射光）を発生させるための手段である。
【００４０】
図４を用いて、色判定センサ２１の構成を説明する。
図４（ａ）に示すように、色判定センサ２１は、本実施の形態ではＲＧＢカラーセンサであり、ＲＧＢの各色に感応する光起電力素子として、三つのフォトセル２４Ｒ・２４Ｇ・２４Ｒを一つずつ備えている。
図４（ｂ）に示すように、フォトセル２４Ｒには、赤色光を透過するＲ色フィルタ２３Ｒが形成され、フォトセル２４Ｇには、緑色光を透過するＧ色フィルタ２３Ｇが形成され、フォトセル２４Ｂには、青色光を透過するＢ色フィルタ２３Ｂが形成されている。そして、フォトセル２４Ｒ・２４Ｇ・２４Ｒがそれぞれ、対応する色にのみ感応する構成である。
また、色判定センサ２１には、色判定センサ２１への光の入射範囲を規制するための遮光カバー２５が設けられており、この遮光カバー２５により、各フォトセル２４Ｒ・２４Ｇ・２４Ｒは、フィルム形成面の露出を除いて、被覆されている。
【００４１】
ここで、前記判定用光源２２は白色光源であり、この判定用光源２２からの光照射を受けた原稿９の反射光が色判定センサ２１に入射する。この反射光の各色成分が、色判定センサ２１に備えるフォトセル２４Ｒ・２４Ｇ・２４Ｒよりそれぞれ出力される。
したがって、色判定センサ２１より出力される各色成分のデータに基づいて、原稿の色判定が可能である。
【００４２】
なお、判定用光源２２の構成は限定するものではないが、価格、大きさ、消費電力、耐久性等の点で、白色ＬＥＤが好ましい。
【００４３】
図１に示すように、色判定センサ２１のそれぞれには、原稿９の表面の一定領域からの原稿光のみが入射する。この一定領域を、色判定センサ２１による検出領域Ｄとする。これは、色判定センサ２１の受光領域Ｒが、前記遮光カバー２５の開口量により決定されているためである。
ここで、受光領域Ｒとは、遮光カバー２５の開口量および開口位置と、フォトセル２４Ｒ・２４Ｇ・２４Ｒの受光面積および受光面の位置とにより決定される空間領域のことであり、本実施の形態では円錐形状である。また、検出領域Ｄとは、受光領域Ｒがプラテンガラス２の表面２ａで切断される切断面に相当する平面領域であり、その外周は円形状である。
また、ＣＣＤ６が主走査方向に対応する一次元ラインセンサであり、一色の検出に係る手段として、この一ラインに沿って多数の画素（光電変換素子）が配置されているのに対し、色判定センサ２１には一つのフォトセルしか配置されていない。
色判定センサ２１には、ＲＧＢ三色の検出を可能とする構成として、三つのフォトセル２４Ｒ・２４Ｇ・２４Ｒが備えられている。一方、ＣＣＤ６には、ＲＧＢ三色の検出を可能とする構成として、ＲＧＢの各色に対応する三列の画素群が設けられる場合もあれば、光源の照射光をＲＧＢの各色に切換えることにより、一列の画素群で三色に対応する場合もある。
【００４４】
このため、ＣＣＤ６は、原稿９の一ライン上の色情報を、ＲＧＢ各色毎に、ＣＣＤ６に備える一列の画素数の数だけ検出することが可能である。
これに対して、色判定センサ２１は、原稿９の一定の２次元領域の色情報を、ＲＧＢ各色毎に、色判定センサ２１に備えるフォトセルの配設数だけ、つまり、一つ検出するだけである。
したがって、色判定センサ２１が検出する色情報は、前記検出領域Ｄの原稿９から色判定センサ２１に入射する原稿光をすべて重ね合わせたものとなり、２次元領域の色情報をを平均化したものに等しい。
ここで、一つの色判定センサ２１に入射する原稿光の範囲は、前記遮光カバー２５の露出部位の大きさにより決定されている。また、原稿光の光強度は、プラテンガラス２上の原稿９と色判定センサ２１との離間距離、色判定センサ２１の一つ当たりに対応する判定用光源２２の数、各判定用光源２２の光量、等により決定される。
【００４５】
図１、図３を用いて、色判定センサ２１群および判定用光源２２群の配置構成を説明する。
色判定センサ２１は、プラテンガラス２上の原稿９の色情報を検出する手段であるが、一つの色判定センサ２１により検出可能な範囲は、その受光領域Ｒに収まる一定領域である検出領域Ｄ（図１）に限られている。
そこで、原稿９の全面の色情報を検出可能とするため、プラテンガラス２の下方には、多数の色判定センサ２１が設けられている。原稿９の一定領域毎に、異なる色判定センサ２１により色情報を検出し、複数の色判定センサ２１からの色情報を合わせることで、原稿９の全面の色情報の検出が可能である。
ここで、色判定センサ部２０に備える色判定センサ２１の全体の受光範囲が、カラースキャナ１で読取り可能な最大サイズの原稿に対応可能であれば、どのようなサイズの原稿であっても、色判定センサ部２０により色情報の検出が可能である。
なお、本実施の形態では、プラテンガラス２の全面が、前記読取手段で読取可能な全範囲と一致するものとする。つまり、プラテンガラス２の全面にわたる原稿であっても、色判定センサ部２０でその原稿の色情報の検出が可能である。
【００４６】
また、判定用光源２２は、原稿光（原稿９の反射光）を発生させるための手段であるが、一つの判定用光源２２により、有効な照射が可能な範囲は限られている。ここで、有効な照射とは、判定用光源２２からの照射光の強度が、その照射光が原稿で反射して色判定センサ２１に入射した際に、この色判定センサ２１で検出可能な光強度を有していること、を意味する。
そこで、原稿９の全面、つまりプラテンガラス２の全面を前記有効な光強度で照射可能とするため、プラテンガラス２の下方には、多数の色判定センサ２１が設けられている。
【００４７】
図３に示すように、色判定センサ２１のそれぞれは、（白黒）二色の格子縞模様の一色部分（例えば黒色部分）に相当する位置に、配置されている。同じく、判定用光源２２のそれぞれも、前記格子縞模様の別の一色部分（例えば白色部分）に相当する部位に、配置されている。
このようにして、プラテンガラス２の全面に渡って、各色判定センサ２１および判定用光源２２がそれぞれ均一に配置されている。そして、判定用光源２２群によりプラテンガラス２の全面が、前記有効な光強度で照射されると共に、プラテンガラス２の全面に原稿が渡っていても、その色情報が色判定センサ２１群により検出される。
図３には、一つの色判定センサ２１により色情報が検出される範囲を、検出領域Ｄとして図示している。この検出領域Ｄは、本実施の形態では、円錐形状の受光領域Ｒが、プラテンガラス２の表面により切断されてなる切断面、つまり円領域となっている。なお、この検出領域Ｄの形状・大きさは、色判定センサ２１への光の入射範囲を規制する前記遮光カバー２５の形状により変化させることが可能である。
また、色情報の検出されない場所の発生を防止すべく、隣同士の色判定センサ２１・２１それぞれの受光領域Ｒ（検出領域Ｄ）が重複するように、各色判定センサ２１の配置間隔や、遮光カバー２５による受光領域Ｒが、設定されている。
【００４８】
図１、図３、図５を用いて、色判定センサ２１群および判定用光源２２群の配置密度について説明する。
図１、図３に示すように、ケーシング７の内部底面は、二段階で高さが異なるように構成されており、低い側が第一底面７ａであり、高い側が第二底面７ｂである。
この第二底面７ｂの形成部位は、ケーシング７の副走査方向における一端側であり、この第二底面７ｂの下方には、前記読取手段の構成部材であるレンズ５およびＣＣＤ６が収納されている。
そして、第一底面７ａ上と、第二底面７ｂ上とでは、色判定センサ２１群および判定用光源２２群の配置密度が異なるものとなっている。
【００４９】
ここで、ケーシング７の内部底面に第二底面７ｂが形成されるのは、本実施の形態の読取手段が、副走査方向に移動するキャリッジにミラーが搭載されて、ケーシングに静止状態に固定されるＣＣＤへ原稿光を送る構成のためである。
この構成の場合、レンズやＣＣＤにより光経路が遮断されるのを防止するため、レンズやＣＣＤの配設部位では、その上方に色判定センサ２１や判定用光源２２を配置せざるを得ない。つまり、第二底面７ｂは、レンズ５やＣＣＤ６を収容するケースの一部としてだけでなく、レンズ５やＣＣＤ６の配設部位における色判定センサ２１や判定用光源２２の支持台ともなっている。
一方、ミラーキャリッジ３・４に関しては、色判定センサ２１による色情報検出を行なう際に、プラテンガラス２の下方から外れた位置に移動させることが可能であるので、第一底面７ａ上に色判定センサ２１や判定用光源２２を配置しても支障がない。
これに対して、副走査方向に移動するキャリッジにＣＣＤが搭載される構成とした場合は、色判定センサ２１による色情報検出時に、このキャリッジをプラテンガラスの下方から外れる位置に移動させればよいので、第二底面７ｂのように、ケーシングの底面に段差を設ける必要はない。
【００５０】
図５（ａ）には、プラテンガラス２の表面２ａ（原稿９の載置面）と色判定センサ２１との離間距離の違いによる、前記検出領域の相違を示している。
ここで、色判定センサ２１の受光領域Ｒは、錐体状の空間領域であるので、前記離間距離が大きくなるにつれ、この受光領域Ｒの表面２ａによる切断面の大きさ、つまり検出領域Ｄの面積が大きなものとなる。
図５（ａ）において、離間距離の大きさがＬ１のときの検出領域がＤ１であり、離間距離の大きさがＬ２のときの検出領域がＤ２である。なお、図１に示すように、Ｌ１は、表面２ａと第一底面７ａとの離間距離の大きさであり、Ｌ２は、表面２ａと第二底面７ｂとの離間距離の大きさである。そして、Ｌ２＞Ｌ１であるため、検出領域Ｄ２の面積は検出領域Ｄ１の面積よりも大きなものとなる。
つまり、表面２ａと色判定センサ２１との離間距離が大きくなるほど、検出領域Ｄ（図１）の面積が大きなものとなる。
【００５１】
図３、図５（ｂ）に示すように、前記離間距離の大きさがＬ１であるとき、つまり色判定センサ２１が第一底面７ａ上に配置されるとき、色判定センサ２１群の配置密度は「疎」である。一方、前記離間距離の大きさがＬ２であるとき、つまり色判定センサ２１が第二底面７ｂ上に配置されるとき、色判定センサ２１群の配置密度は「密」である。
なお、ここで云う「疎」「密」とは、離間距離の大きさがＬ１・Ｌ２の場合における相対的な疎密を意味している。
【００５２】
一方、判定用光源２２から照射される光強度は、距離の２乗に反比例して低下するものである。したがって、原稿光を受光する色判定センサ２１への光強度を、それぞれの色判定センサ２１において、前記離間距離の相違によらず一定に保つためには、判定用光源２２と前記表面２ａとの離間距離に応じて、判定用光源２２の配置密度や光量を変更する必要がある。
【００５３】
図３に示すように、判定用光源２２の配置密度は、本実施の形態では、色判定センサ２１の配置密度と同じであり、色判定センサ２１と判定用光源２２とが１：１で、ケーシング７内に配置される構成である。
【００５４】
図５（ｂ）に示すように、このような１：１の配置の場合、色判定センサ２１の配置密度が「密」であれば、判定用光源２２の配置密度も「密」となり、色判定センサ２１の配置密度が「疎」であれば、判定用光源２２の配置密度も「疎」となる。
そして、離間距離の大きさがＬ２の場合は、離間距離の大きさがＬ１の場合に比して、判定用光源２２の配置密度が高いだけでなく、光強度の減衰量も小さいものとなる。したがって、この二つの理由により、第二底面７ｂ上に配置される判定用光源２２の光量の大きさは、第一底面７ａ上に配置される判定用光源２２の光量の大きさに比して、「小」である。逆に、この相対比較において、第一底面７ａ上に配置される判定用光源２２の光量の大きさは「大」である。
【００５５】
なお、第一底面７ａ上の光源２２群と、第二底面７ｂ上の光源２２群とにおける、各光源２２の光量の違いは、各光源へ供給する電圧を、群単位で異なるものとすることにより行なっている。あるいは、光源そのものを、第一底面７ａ上と第二底面７ｂ上とで、相違するものとする。
【００５６】
一方、図５（ｃ）に示すように、色判定センサ２１の配置密度に反比例して、判定用光源２２の配置密度を設定することもできる。つまり、色判定センサ２１の配置密度が「密」であれば、判定用光源２２の配置密度は「疎」とし、色判定センサ２１の配置密度が「疎」であれば、判定用光源２２の配置密度を「密」とする。
このようにすることで、プラテンガラス２の表面２ａ上の各部で、判定用光源２２からの照射光量を均一とすることができる。この場合、第一底面７ａ上に配置する判定用光源２２と、第二底面７ｂ上に配置する判定用光源２２とで、出力する光量を同一量とすることができる。つまり、光源用の部品種類が減るので、製造上の利点がある。
【００５７】
図５（ｃ）において、離間距離の大きさがＬ２で判定用光源２２の配置密度が「疎」の場合と、離間距離の大きさがＬ１で判定用光源２２の配置密度が「密」の場合とで、共に判定用光源２２の光量は「中」である。この場合は、判定用光源２２の配置部位によらず、その光量は一定である。
加えて、この場合の判定用光源２２の光量を「中」とすると、相対比較において、離間距離の大きさがＬ２で判定用光源２２の配置密度が「密」の場合の判定用光源２２の光量は「小」である。同じく、この場合の判定用光源２２の光量を「中」とすると、相対比較において、離間距離の大きさがＬ１で判定用光源２２の配置密度が「疎」の場合の判定用光源２２の光量は「大」である。
【００５８】
色判定センサ部２０で検出される色情報について説明する。
プラテンガラス２上に載置される原稿は、プラテンガラス２の全面に渡るとは限らず、一般的には、プラテンガラス２の一部を被覆するだけである。このため、それぞれの色判定センサ２１には、必ずしも原稿光が入射するものではない。
以下で詳しく説明するが、色判定センサ部２０による原稿の色情報の検出は、プラテンカバー８の閉鎖完了前に実行されるものである。このため、プラテンガラス２上で原稿９が載置されている部位では、判定用光源２２群による照射により反射光としての原稿光が発生するが、プラテンガラス２上で原稿９が載置されていない部位からは反射光が実質的には発生しない。
ここで、色判定センサ２１群の全体は、それぞれの検出領域Ｄの集合により、プラテンガラス２の全面を検出可能範囲に収めているが、原稿９がない部位の検出領域Ｄに対応する色判定センサ２１には、反射光（この場合原稿光）が入射しないことになる。なお、検出領域Ｄの一部でも原稿９に被覆されている場合は、その被覆部分の原稿光が、対応する色判定センサ２１に入射する。
【００５９】
それぞれの色判定センサ２１が検出する色情報は、前述したように、２次元領域である検出領域Ｄの色情報を平均化した色情報である。ここで、原稿がない部位からの反射光は実質的に存在しないが、反射光がない場合も、色情報としては意味がある。詳しくは後述するが、反射光の入力がない部位の色は、黒色として認識されるものである。
そして、色判定センサ部２０は、自らに備える色判定センサ２１の配設数と同数だけ、プラテンガラス２上の各部の色情報を検出する。
【００６０】
ここで、それぞれの色判定センサ２１で検出される色情報とは、前述したように、前記フォトセル２４Ｒ・２４Ｇ・２４Ｒのそれぞれより出力される、ＲＧＢ各色成分の信号のことである。
ＲＧＢの各色は光の三原色であり、混色によって全ての色を作ることが可能である。ここで、ＲＧＢ各色成分の大きさが等しい場合はモノクロであり、ＲＧＢ各色成分の大きさが異なる場合がカラーである。原理的には、特に、ＲＧＢ各色成分の大きさが等しい状態で、各色成分がすべて零である場合「黒」であり、各色成分がすべて前記フォトセルの出力最大である場合「白」である。
そして、このような各色成分の大きさの比較を利用して、前記原稿載置エリア判定部１８における原稿載置エリアの判定や、前記カラーモノクロ判定部１６におけるカラーモノクロ判定が、行なわれる。
【００６１】
ここで、色判定センサ２１からの出力の大きさ、つまり、フォトセル２４Ｒ・２４Ｇ・２４Ｒのそれぞれより出力されるＲＧＢ各色成分の信号の大きさは、フォトセルの特性に依存するものであると共に、外乱等の影響により誤差を含むものである。
特に問題となるのが、色判定センサ２１の検出した色情報に基づいて、「黒」および「白」の判定が行なわれる場合である。
そこで、原稿載置エリア判定部１８やカラーモノクロ判定部１６においては、ＲＧＢ各色成分の大きさがすべて一定の基準値（黒基準値）より下回る場合「黒」であると判定され、ＲＧＢ各色成分の大きさがすべて一定の基準値（白基準値）より下回る場合「白」であると判定される。
【００６２】
前記の黒基準値や白基準値は、色判定センサ２１のそれぞれで共通に設定される場合と、色判定センサ２１毎に個別に設定される場合と、がある。
例えば、色判定センサ２１の色情報検出環境を均一になし得る場合、図３を用いて説明する本実施の形態のように、各色判定センサ２１への入射光量にバラツキがない場合は、黒基準値や白基準値を、色判定センサ２１の全体で共通に設定することができる。
一方、色判定センサ２１の色情報検出環境を均一になしえない場合などは、黒基準値や白基準値を、色判定センサ２１のそれぞれで個別に設定する必要がある。
【００６３】
また、白基準値（黒基準値）の特定は、例えば、白基準原稿（黒基準原稿）をプラテンガラス２上に載置して、その色情報を色判定センサ２１のそれぞれで検出させ、そのときの色判定センサ２１の出力値を検出することで行なう。白基準原稿を検出した際の出力値を白基準値として設定しておけば、その白基準原稿より輝度の高い白色原稿であっても、一律に「白」として、原稿載置エリア判定部１８やカラーモノクロ判定部１６で認識される。
ここで、前記共通に設定する場合は、色判定センサ２１のそれぞれの出力を平均化した出力値を白または黒基準値とし、前記個別に設定する場合は、色判定センサ２１のそれぞれの出力値を、それぞれの白または黒基準値とする。
【００６４】
図３、図６を用いて、原稿載置エリア判定部１８における原稿載置エリアの判定方法を説明する。
図３を用いて前述したように、各色判定センサ２１の検出領域Ｄを合わせた全体領域は、プラテンガラス２の全面を、カバーするように設定されている。
このため、プラテンガラス２上に載置された原稿の色情報は、原稿のどの部位の色情報であっても、いずれかの色判定センサ２１により、検出される。
ここで、この色情報が「黒」であると判定される場合、この検出領域Ｄを被覆する部位の原稿の色が黒であるか、もしくは、原稿サイズの関係により、この検出領域Ｄは原稿により被覆されていない、と捉えることができる。
【００６５】
原稿載置エリア判定部１８は、各検出領域Ｄで検出された原稿の色情報を元に、次のようにして原稿サイズを特定する。
色判定センサ部２０における原稿の色情報の検出は、前述したように、プラテンカバー８のプラテンガラス２の閉鎖前に行なわれるものである。プラテンカバー８の表面上で、原稿により全く被覆されていない部位からは、判定用光源２２から照射された光が、反射することがない。
このため、各検出領域Ｄにおいて、その検出領域Ｄに対応する色判定センサ２１のＲＧＢ各色の出力信号のうち、どれか一色でも前記黒基準値を越えていたならば、その検出領域Ｄは、黒でない原稿により一部もしくは全部が被覆されているとみなすことができる。
なお、検出領域Ｄが原稿によりまったく被覆されていない場合の判定条件を、出力が０の場合ではなく、黒基準値以下の場合としているのは、検出誤差による影響を除くためである。このような検出誤差は、色判定センサ２１や判定用光源２２が同一のもので構成されていても、センサ自体の検出精度の違いや、光源の出力精度の違いにより、必然的に発生する。
【００６６】
ここで、プラテンガラス２には、原稿を載置する際の位置決め用に、原稿位置合わせの基準位置Ｐが設けられている。
本実施の形態では、プラテンガラス２の角に原稿の角を合わせる（端揃え）ように原稿の載置位置が設定されている。原稿の載置位置の設定としては、プラテンガラスの副走査方向の端部かつ主走査方向の中央に原稿を配置する中央揃えであってもよい。
【００６７】
したがって、原稿の姿勢（縦置き・横置き）と原稿の大きさとによる原稿サイズに応じて、その原稿により一部もしくは全部が被覆される検出領域Ｄと、まったく被覆されることのない検出領域Ｄとが、予め特定されている。
そこで、原稿載置エリア判定部１８は、それぞれの色判定センサ２１が検出する色情報より、原稿がまったく載置されていない検出領域Ｄを特定し、これら原稿のない検出領域Ｄの分布に基づいて、原稿サイズ（大きさ及び姿勢）を特定する。
【００６８】
図６には、定型Ａ４サイズ原稿が縦置き（副走査方向に沿って長手を配置）された場合における、各色判定センサ２１による原稿検出結果を示している。図６において、自らの検出した色情報が「非黒」である（黒でない）と判定される色判定センサ２１を白丸で示し、自らの検出した色情報が「黒」であると判定される色判定センサ２１を黒丸で示している。
各色判定センサ２１において、色情報が「黒」となるのは、対応する検出領域Ｄが、黒でない原稿により一部もしくは全部が被覆されている場合を意味している。つまり、一般的には、黒丸となった各色判定センサ２１の検出領域Ｄには、原稿がないものとみなすことができる。一方、各色判定センサ２１において、色情報が「非黒」となるのは、対応する検出領域Ｄが、黒でない原稿により少なくとも一部が被覆されている場合を意味している。つまり、白丸となった各色判定センサ２１の検出領域Ｄには、原稿があるものとみなすことができる。
【００６９】
このような各色判定センサ２１による原稿検出結果の分布、つまり、色情報が「黒」となる色判定センサ２１と、色情報が「非黒」となる色判定センサ２１と、の分布は、原稿サイズに応じて決まっている。
このため、これらの分布の違いを検出することにより、原稿載置エリア判定部１８は、プラテンガラス２上の原稿載置エリアを特定することが可能である。
【００７０】
なお、プラテンガラス２上の原稿載置エリアを特定する手段としては、従来よりある原稿サイズの検出手段であってもよい。
例えば、前記読取手段による主走査方向の一ライン読取りと、プラテンガラス２の下方に、一又は複数箇所で配置される原稿有無検出センサによる反射光の有無検出とで、原稿サイズの特定が可能である。主走査方向の一ライン読取りにより、原稿の横幅（主走査方向の幅）が検出され、原稿有無検出センサによる反射光の有無検出により、原稿の縦幅の長さが、どの範囲に収まる長さかが特定される。つまり、縦幅の長さが、Ａ３縦かＢ４縦であるかが判別できる程度に大雑把に特定される。
定型の原稿サイズを特定する上では、必ずしも原稿の縦幅や横幅を正確に検出する必要は、ないのである。
【００７１】
次に、カラーモノクロ判定部１６におけるカラーモノクロ判定の方法を説明する。
前述したように、ＲＧＢの各色は光の三原色であるので、原稿光における各色成分の大きさが異なる場合は、その原稿はカラー原稿であり、各色成分の大きさが等しい場合は、その原稿はモノクロ原稿である。なお、モノクロには、黒の濃淡比の異なるグレーが含まれている。
原稿光の各色成分の大きさは、色判定センサ２１からのＲＧＢ各色成分の信号として取り出されるが、判定用光源２２による原稿の照明ムラの発生が避けられないと共に、センサ自体の検出精度の違いや、ノイズ等の外乱の影響もあって、これらの各信号に誤差が発生する。
そこで、カラーモノクロ判定部１６は、色判定センサ２１から出力されるＲＧＢ各成分の信号の大きさの差が、所定範囲内に収まる場合は、その原稿光はモノクロであると判定し、ＲＧＢ各成分の信号の大きさの差が所定範囲外となる場合は、その原稿光をカラーであると判定する。これは、一つの検出領域Ｄを覆う部位の原稿に対する、カラーモノクロ判定である。
【００７２】
一つの色判定センサ２１より出力される原稿光の色情報（ＲＧＢ各色成分の信号）は、その色判定センサ２１による検出領域Ｄを被覆する部位の原稿の色情報である。
ここで、カラー原稿とは、原稿の少なくとも一部がカラーで彩色されている原稿のことを指す。つまり、大部分が白黒印字であって、一部が朱筆されているような原稿も、カラー原稿とみなすものである。
したがって、原稿がカラー原稿であるか、モノクロ原稿であるかを判別するには、原稿の載置エリアの全域に渡って、カラーモノクロ判定を行なう必要がある。
そこで、カラーモノクロ判定部１６は、原稿載置エリアに含まれる検出領域Ｄに配置されている色判定センサ２１のすべてに対して、そのＲＧＢ各色出力信号に基づくカラーモノクロ判定を行なう。原稿載置エリアの特定は、前述したように、原稿載置エリア判定部１８により行なわれている。そして、この原稿載置エリア内にある検出領域Ｄの一箇所においてでも、その色情報がカラーであると判定されると、同じ原稿載置エリア内にある他の検出領域Ｄの色情報がモノクロであっても、原稿がカラー原稿であると、カラーモノクロ判定部１６は、判定する。
【００７３】
整理すると、原稿のカラーモノクロ判定とは、原稿がカラー原稿であるかモノクロ原稿であるかを判定する処理であり、各検出領域Ｄの色情報のカラーモノクロ判定とは、意味が異なる。各検出領域Ｄの色情報のカラーモノクロ判定は、その検出領域Ｄを被覆する原稿の一部領域のカラーモノクロ判定に過ぎないものである。そして、各検出領域Ｄの色情報のカラーモノクロ判定の結果に基づいて、原稿のカラーモノクロ判定が行なわれる。
カラーモノクロ判定部は、これら二種類の判定を共に行なうものである。
また、前記原稿載置エリア判定部１８においては、各検出領域Ｄの色情報の「黒」「非黒」判定と、これらの「黒」「非黒」判定の結果に基づく原稿載置エリアの特定とが、共に行なわれるものである。
【００７４】
なお、原稿のカラーモノクロ判定に際して、前述では、カラーモノクロ判定部１６は、原稿載置エリアに含まれる検出領域Ｄに対して行なうものとしているが、原稿載置エリア外を含めた全検出領域Ｄに対して行なうものとしても良い。この場合は、原稿載置エリア外の検出領域Ｄでは、その部位の原稿がモノクロと判定されるだけであり、原稿載置エリアにある原稿のカラーモノクロ判定に、影響を及ぼすことはない。
【００７５】
次に、カラー用紙にモノクロ印字が行なわれたカラー用紙モノクロ原稿に対する扱いについて説明する。
カラー用紙にモノクロ印字が行なわれてなる原稿の場合、前述の構成のみでは、カラーモノクロ判定部１６においてカラー原稿とみなされて、前記画像処理部１４において、カラー用の印字用画像データが作成されることになる。
例えば、再生紙や色紙のような非白色の用紙にモノクロ印字が行なわれた原稿の場合、カラーモノクロ判定によりカラーと判定されてしまう。
そこで、カラースキャナ１は、カラー用紙にモノクロ印字された原稿（以下、カラー用紙モノクロ原稿）を読取る場合に、カラー原稿の背景色を反映させないように、コピー用のデータ（印字用画像データ）を作成することが可能に構成されている。
【００７６】
カラー用紙モノクロ原稿の特定は、比較対象とするカラー用紙の色情報と、カラー用紙モノクロ原稿の判定対象となる原稿の色情報とを、ＲＧＢ各色成分の大きさで比較し、原稿の背景色がカラー用紙の色と一致すると判定される場合に行なわれる。
ここで、色情報の比較や、色の一致判定は、各色判定センサ２１毎に行なわれるものである。
【００７７】
具体的には、まず、比較対象とするカラー用紙をプラテンガラス２上に載置して、原稿載置エリアにある各色判定センサ２１より、対応する検出領域Ｄの色情報を出力させる。次いで、カラー用紙モノクロ原稿の判定対象となる原稿をプラテンガラス２上に載置して、原稿載置エリアにある各色判定センサ２１より、対応する検出領域Ｄの色情報を出力させる。そして、各色判定センサ２１毎に、判定対象となる原稿各部（検出領域Ｄ）のＲＧＢ各色成分の大きさが、カラー用紙各部（検出領域Ｄ）のＲＧＢ各色成分の大きさを基準とする所定範囲内にあれば、その部分の原稿（原稿各部）の色は、カラー用紙の色に一致すると判定される。
【００７８】
原稿各部において、モノクロ印字量が多い部分では、その色がカラー用紙と一致しないとしても、モノクロ印字量が少ない部分では、その色がカラー用紙と一致する。
そこで、各色判定センサ２１毎の色の一致判定において、原稿載置エリア内の所定数以上の色判定センサ２１からの色情報で、対応する原稿各部の色がカラー用紙と一致すると判定された場合は、色が一致しないと判定された色情報があったとしても、判定対象となる原稿の背景色が、比較対象とするカラー用紙の色に一致すると判定される。つまり、その原稿が、カラー用紙モノクロ原稿であると特定される。
なお、前記所定数の数は、用紙サイズの大きさに対応するものであり、用紙サイズが大きな原稿の場合ほど、前記カラー用紙モノクロ原稿の特定に必要とされる色判定センサ２１の色情報出力数が、多くなる。
【００７９】
図２を用いて、カラー用紙モノクロ原稿の特定に関わる装置構成を説明する。
図２に示すように、カラースキャナ１には、比較対象としてのカラー用紙の色情報（ＲＧＢ各色成分の大きさ）を記憶しておくための、例外色用メモリ１９が設けられている。
例外色用メモリ１９には、色判定センサ部２０に備える各色判定センサ２１で検出された色情報が、それぞれ記憶される。
【００８０】
比較対象としてのカラー用紙の色情報は、原稿の読み取りに先立って、予め、例外色用メモリ１９に記憶させておくものとする。
この状態において、新たな原稿の読み取りが行なわれた際に、カラーモノクロ判定部１６は、各色判定センサ２１毎に、読取ったカラー用紙モノクロ原稿の色情報が、例外色用メモリ１９に記憶されている色情報に一致（正確にはＲＧＢ各色成分が所定範囲内に収まること）するかどうか判定する。そして、その一致数が、原稿サイズに応じて設定されている所定数を超えるならば、この原稿が、例外色のカラー用紙に対応するカラー用紙モノクロ原稿であると判定される。
なお、例外色のカラー用紙とは、例外色用メモリ１９に記憶されている色のカラー用紙のことである。例外色用メモリ１９には、複数のカラー用紙の（各色判定センサ２１毎の）色情報を、記憶させておくことが可能である。
【００８１】
そして、カラーモノクロ判定部１６において、例外色としたカラー用紙と一致する色のカラー用紙モノクロ原稿が特定されると、画像処理部１４において、このカラー用紙モノクロ原稿に対応する印字用画像データが、モノクロ用として作成される。
【００８２】
次に、図７、図８を用いて、例外色の扱いを含めたカラーモノクロ自動判定の手順を説明する。
図８に示すカラーモノクロ自動判定処理手順は、前記カラーモノクロ判定を、カラースキャナ１において、ＭＰＵ１７の指令に基づいて、自動的に行なうためのものである。
また、カラー用紙にモノクロ印字が行なわれた原稿をカラースキャナ１にモノクロとして認識させるための予備的手順として、図７に示すカラー用紙の取り込み手順が設けられている。この取り込み手順も、ＭＰＵ１７の指令に基づいて、自動的に行なうためのものである。
【００８３】
まず、図７を用いて、予め行なわれる例外色のカラー用紙の色情報の取り込み手順について説明する。
カラースキャナ１の操作入力において、例外設定モードを選択すると、例外色とするカラー用紙の色情報の取り込み処理が開始される（ステップ１０１）。
なお、この例外設定モードは、自動で行なわれるカラーモノクロ判定における例外色の設定を行なうためのモードである。
【００８４】
この取り込み処理が開始されると、ＭＰＵ１７は、前記開閉センサ２６から、プラテンカバー８の閉鎖直前に発生するスイッチ入力信号が出力されるのを、待機する（ステップ１０２）。
ここで、プラテンカバー８の閉鎖をユーザが行なう際には、プラテンガラス２上に、例外色の取り込み対象とするカラー用紙の載置が既に行なわれているものとする。
また、ここで取り込み対象とされる用紙は、白紙状態のカラー用紙である。
【００８５】
プラテンカバー８の閉鎖に伴って、このプラテンカバー８が完全にプラテンガラス２を閉鎖する前に、色判定用センサ部２０に備えるすべての判定用光源２２群の点灯が開始される（ステップ１０３）。
これらの点灯により、プラテンガラス２上のカラー用紙が照射されるのに応じて、ＭＰＵ１７は、色判定用センサ部２０に備えるすべての色判定用センサ２１から出力される色情報を、原稿載置エリア判定部１８に備えるメモリに記憶させる（ステップ１０４）。
ここで、ステップ１０２からステップ１０４までの処理は、ステップ１０２におけるプラテンカバー８の閉鎖が完了するまで、つまりプラテンガラス２が完全に閉鎖される前に行なわれる。
【００８６】
次いで、ＭＰＵ１７は、原稿載置エリア判定部１８を制御して、プラテンガラス２上のカラー用紙に対する、前述した原稿載置エリアの特定を行なう（ステップ１０５）。ここで、色情報の検出時点がプラテンガラス２の閉鎖前であって、プラテンガラス２上でカラー用紙の載置されていない場所からは反射光が発生しないことを利用して、原稿載置エリアの特定が行なわれる。
なお、カラー用紙における原稿載置エリアの特定においては、このような反射光の有無を利用して、原稿載置エリアを特定する方法に限定されない。次のような方法でも良い。
【００８７】
プラテンカバー８の裏面には、通常、原稿押圧用のプレスシートが設けられている。このプレスシートは白色であるので、プレスシートの白色と、カラー用紙の色との違いを利用して、カラー用紙の原稿サイズの特定を行なうことが可能である。つまり、前記カラーモノクロ判定部１６において、ＲＧＢ各色出力がほぼ等しい色判定センサ２１の位置する検出領域Ｄの群、を検出することで、カラー用紙により被覆されていない領域が特定される。同様に、ＲＧＢ各色出力が異なる色判定センサ２１の位置する検出領域Ｄの群、を検出することで、カラー用紙により被覆されている領域が特定される。このようにして、カラー用紙における原稿載置エリアの特定においては、カラーモノクロ判定部１６におけるカラーモノクロ判定を利用して、行なうことも可能である。
なお、プレスシートを用いた原稿載置エリアの特定は、プラテンカバーの閉鎖後に行なわれるものである。
【００８８】
次いで、カラー用紙のプラテンガラス２上の原稿載置エリアが特定されると、原稿載置エリアにあるすべての色判定センサ２１の検出した色情報がそれぞれ、前記例外色用メモリ１９に記憶される（ステップ１０６）。
例外色の記憶（取り込み）が終了すると、前記判定用光源２２群が消灯され（ステップ１０７）、この取り込み処理が終了する（ステップ１０８）。
【００８９】
次に、図８を用いて、カラーモノクロ自動判定処理手順を説明する。
カラースキャナ１の操作入力において、自動判定モードを選択すると、カラーモノクロ判定の対象となる原稿の色情報の取り込み処理が開始される（ステップ２０１）。
なお、この自動判定モードは、手動ではなく、自動で、カラーモノクロ判定をカラースキャナ１に行なわせるためのモードである。
【００９０】
この処理が開始されると、ＭＰＵ１７は、前記開閉センサ２６から、プラテンカバー８の閉鎖直前に発生するスイッチ入力信号が出力されるのを、待機する（ステップ２０２）。
ここで、プラテンカバー８の閉鎖をユーザが行なう際には、プラテンガラス２上に、カラーモノクロ判定の対象とする原稿の載置が、既に行なわれているものとする。
【００９１】
プラテンカバー８の閉鎖に伴って、このプラテンカバー８が完全にプラテンガラス２を閉鎖する前に、色判定用センサ部２０に備えるすべての判定用光源２２群の点灯が開始される（ステップ２０３）。
これらの点灯により、プラテンガラス２上の原稿が照射されるのに応じて、ＭＰＵ１７は、色判定用センサ部２０に備えるすべての色判定用センサ２１から出力される色情報を、原稿載置エリア判定部１８に備えるメモリに記憶させる（ステップ２０４）。
ここで、ステップ２０２からステップ２０４までの処理は、ステップ２０２におけるプラテンカバー８の閉鎖が完了するまで、つまりプラテンガラス２が完全に閉鎖される前に行なわれる。
【００９２】
次いで、ＭＰＵ１７は、原稿載置エリア判定部１８を制御して、プラテンガラス２上の原稿に対して、前述した原稿載置エリアの特定を行なう（ステップ２０５）。ここで、色情報の検出時点がプラテンガラス２の閉鎖前であって、プラテンガラス２上で原稿の載置されていない場所からは、反射光が発生しないことを利用して、原稿載置エリアの特定が行なわれる。
【００９３】
原稿載置エリアの特定においては、前述のステップ１０５（図７）の場合と同じく、このような反射光の有無を利用して、原稿載置エリアを特定する方法に限定されるものではない。前述と同じく、前述のプレスシートの白色と、原稿の色の違いを利用することにより、原稿載置エリアの特定が可能である。
ここで、プレスシートおよび白色原稿は共に白色であるが、プレスシートの白色の明度は、白色原稿の明度より高いものとする。あるいは、逆であっても良い。そして、この明度の違いを利用して、カラーモノクロ判定部１６におけるカラーモノクロ判定を利用して、原稿載置エリアの特定を行なうことが可能である。なお、白色の明度の違いを利用して、原稿載置エリアの特定を行なう場合は、前記白基準値の設定は、明度の高い白色にあわせられているものとする。
このようなプレスシートを用いた原稿載置エリアの特定は、プラテンカバーの閉鎖後に行なわれるものである。
【００９４】
次いで、ＭＰＵ１７は、カラーモノクロ判定部１６を制御して、プラテンガラス２上の原稿に対する、前述したカラーモノクロ判定を行なう（ステップ２０６）。
このカラーモノクロ判定は、色判定センサ２１から出力されるＲＧＢ各成分の信号の大きさの差が、所定範囲内に収まるか否かを利用して、カラーモノクロ判定を行なうものである。この差が所定範囲を超える場合は、カラー原稿であると、判定される。
ステップ２０６において、一つの色判定センサ２１の検出領域Ｄに位置する部位の原稿が、カラーであると判定された場合は、ステップ２０８へと処理が進み、その原稿自体がカラー原稿であると判定される（ステップ２０８）。一方、その部位の原稿がモノクロであると判定された場合は、ステップ２０７へと処理が進む。
【００９５】
このカラーモノクロ判定は、それぞれの色判定センサ２１毎に行なわれるものであるが、原稿載置エリア内にその検出範囲Ｄが含まれる色判定センサ２１の中で、一つでもカラー判定とされる色情報を検出した色判定センサ２１があれば、その原稿自体がカラーであると判定される。
ステップ２０６の判定処理は、一つの色判定センサ２１からの色情報検出に基づいて行なわれるものであるが、カラー原稿の判定は、どの色判定センサ２１から検出された色情報に基づくものであっても有効である。したがって、いずれかの色判定センサ２１からの色情報に基づいて、原稿の一部（検出領域Ｄ）がカラーであることが判定されると、直ちにその原稿自体がカラー原稿であると判定される。一方、原稿がモノクロ原稿であると判定する場合は、すべての色判定センサ２１から検出された色情報が、モノクロであることが明らかになった場合である。
【００９６】
したがって、一つの色判定センサ２１に対する処理であるステップ２０６の判定結果が、モノクロの場合は、次の色判定センサ２１からの色情報についてカラーモノクロ判定を行なう必要があり、ステップ２０６を継続して行なうことになる。
このため、ステップ２０７では、原稿載置エリアに対応するすべての色判定センサ２１で、ステップ２０６の処理が終了したか否かを判定する。そして、未処理の色判定センサ２１があれば、そのセンサからの色情報に対してステップ２０６の処理を実行させ、すべての色判定センサ２１において色情報のカラーモノクロ判定が終了していれば、ステップ２０９へ処理を進める。
【００９７】
ステップ２０８では、カラーモノクロ判定部１６において、プラテンガラス２上の原稿が、一時的にカラー原稿であると判定される。
ここで、ステップ２０８におけるカラー原稿の判定は完全ではなく、例外色とされるカラー用紙上にモノクロ印字が行なわれた原稿の場合が、含まれている。このため、ステップ２０８に続くステップ２１０以降の処理で、更なるカラーモノクロ判定を実行する。
【００９８】
一方、ステップ２０９では、カラーモノクロ判定部１６において、プラテンガラス２上の原稿がモノクロ原稿であると判定される。
この判定は、ステップ２０８におけるカラー原稿の一時的な判定と異なり、本カラーモノクロ自動判定処理において、後に翻ることのない判定である。
【００９９】
ステップ２１０では、プラテンガラス２上の原稿の色情報と、例外色用メモリ１９に記憶されている色情報とで、ＲＧＢ各色成分の大きさの比が、所定範囲内で一致するか否かを判定する。
ここで、プラテンガラス２上の原稿の色情報とは、原稿載置エリアに位置する色判定センサ２１からの色情報をすべて平均化してなる色情報である。例外色用メモリ１９に記憶されている色情報も、図８に示す手順で取り込みを実行した際に、原稿載置エリアに位置する色判定センサ２１の色情報をすべて平均化して作成されたものである。
そして、ステップ２１０の判定において、前記両比が所定範囲内で一致する場合は、プラテンガラス２上の原稿が、新たにモノクロ原稿であると判定される可能性がある。ただし、この時点でモノクロ原稿であると確定することはできず、他の検出領域Ｄの色情報によりカラー判定が行なわれる場合があるので、ステップ２０７の処理が繰り返される。一方、ステップ２１０の判定において、前記両比が所定範囲内で一致しない場合は、ステップ２０８での判定が維持されてカラー原稿であると判定される（ステップ２１１）。
【０１００】
ステップ２０９におけるモノクロ判定、ステップ２１１におけるカラー判定が下されると、前記判定用光源２２群が消灯され（ステップ２１２）、このカラーモノクロ自動判定処理が終了する（ステップ２１３）。
【０１０１】
本発明の画像処理装置をまとめる。
第一の発明たる画像処理装置は、原稿載置台に載置された原稿の画像を読み取って読取画像データを出力する読取手段と、前記読取画像データに画像処理を施して画像処理済データを出力する画像処理部と、を備えている。
【０１０２】
本実施の形態では、前記原稿載置台はプラテンガラス２である。また、前記読取手段は、ＣＣＤ６と、原稿に光を照射してその反射光をＣＣＤ６へ送る光学系装置と、から構成されている。
この光学系装置は、読取用光源１０およびミラー１１を備える第一ミラーキャリッジ３と、ミラー１２・１３を備える第二ミラーキャリッジ４と、レンズ５により構成されている。
なお、読取手段の構成としては、本実施の形態のミラーキャリッジ式ではなく、副走査方向に移動するキャリッジにＣＣＤ自体を搭載する構成としたものであってもよい。
また、本実施の形態では、前記画像処理部は、前記ＣＣＤ６で読み取った読取画像データを、カラーもしくはモノクロの印字用画像データに変換する画像処理を施して、その印字用画像データを出力する画像処理部１４としている。なお、画像処理部で実行される画像処理の内容としては、本実施の形態における印字用画像データへの変換処理に限定されるものではない。
【０１０３】
また、第一の発明たる画像処理装置は、原稿載置台の下方に配置される色判定センサ群および光源群と、一部もしくは全部の前記色判定センサの出力に基づいて、原稿色を判定する原稿色判定手段と、前記原稿色判定の結果に基づいて、前記画像処理部を制御する制御手段と、を備えている。
【０１０４】
本実施の形態では、前記色判定センサは、ＲＧＢカラーセンサであり、ＲＧＢの各色に感応する光起電力素子として、三つのフォトセル２４Ｒ・２４Ｇ・２４Ｒを一つずつ備えている。
また、前記光源は判定用光源２２であり、前記原稿色とは、判定用光源２２によりプラテンガラス２上の原稿９を照射して得られる原稿光の色情報のことである。前記原稿色判定手段は、本実施の形態では、原稿色の判定だけでなく原稿のカラーモノクロ判定を行なうカラーモノクロ判定部１６である。
また、前記制御手段は、ＭＰＵ１７である。
【０１０５】
また、第一の発明たる画像処理装置において、前記色判定センサの受光範囲をすべて合わせた全受光範囲が、前記読取手段により読取り可能な前記原稿載置台上の全範囲を覆うように、前記色判定センサの配置数および配置位置が設定されている。
【０１０６】
本実施の形態では、前記色判定センサ２１の受光範囲は、色判定センサ２１より円錐状等の空間領域に広がる受光領域Ｒが、プラテンガラス２の表面２ａで切断された切断面たる検出領域Ｄであり、この検出領域Ｄの全体が表面２ａの全域をカバーするように、色判定センサ２１が適宜間隔を空けて多数配置されている。
【０１０７】
以上構成により、ＣＣＤに比して単純な構成の光センサを用いて、通常の読取時に用いる読取手段を用いることなく、原稿色の判定が行なわれる。
このため、原稿色の判定に用いるデータ量がＣＣＤを用いる場合に比して小であり、原稿色の判定のために専用のハードウェアを用意することなく、汎用のＣＰＵやＤＳＰを用いて処理が可能である。加えて、原稿の色情報の取りこぼしがないので、正確な原稿色の判定が可能である。
【０１０８】
前記原稿色判定手段により判定した原稿色に基づいて、原稿種別を判定する原稿種別判定手段を備え、
前記制御手段は、前記原稿種別判定の結果に基づいて、前記画像処理部を制御する、ものである。
【０１０９】
原稿種別とは、原稿の原稿色の違いに応じた種類別のことであり、カラー原稿と、モノクロ原稿との種類別のことである。
前記原稿色判定手段および前記原稿種別判定手段は、本実施の形態では、前記カラーモノクロ判定部１６が兼用する構成である。このカラーモノクロ判定部１６において、原稿色の判定と、この原稿色の判定に基づく原稿種別の判定（カラー原稿かモノクロ原稿であるかの判定）と、が行なわれる。
特に本実施の形態では、制御手段たるＭＰＵ１７は、画像処理部１６が、前記ＣＣＤ６で読み取った読取画像データを、カラーもしくはモノクロの印字用画像データに変換する画像処理を施すように制御する。なお、原稿種別の判定に基づく画像処理の内容としては、印字用画像データの作成だけでなく、ディスプレイ表示用の画像データの作成など、限定されるものではない。
【０１１０】
以上構成により、原稿色の判定に応じて、原稿色に対応した画像処理が実行される。
このため、原稿種別に応じた画像処理が、手動で指定しなくても自動で実行される。
【０１１１】
第三の発明たる画像処理装置では、第一または第二の発明の構成に加えて、前記色判定センサ群および光源群は、格子点状に配置されるものである。
【０１１２】
本実施の形態では、前記色判定センサ２１群および光源２２群が共に、同一の格子の各格子点に、互い違いに配置される構成である。
前記色判定センサおよび前記光源群の配置構成としては、本実施の形態に限定されるものではなく、色判定センサ群が配置される格子点の格子パターンと、光源群が配置される格子点の格子パターンとが、異なるものであっても良い。
【０１１３】
以上構成により、それぞれの色判定センサによる色情報の検出領域が重複しにくくなると共に、光源による光照射の重複ムラも発生しにくくなる。
このため、原稿載置台の全領域からの色情報の検出において、領域によって色情報の重みにムラが生じるなどの不具合が防止され、この領域全体で均一な原稿色の判定を行なうことができる。
【０１１４】
第四の発明たる画像処理装置では、第一から第三のいずれかの発明の構成に加えて、次の構成としている。
前記色判定センサ群は、各色判定センサから原稿載置面までの距離が短い領域に配置される短距離センサ群と、前記距離が長い領域に配置される長距離センサ群と、からなり、
短距離センサ群の配置密度は、長距離センサ群の配置密度よりも疎とされるものである。
【０１１５】
本実施の形態では、前記短距離センサ群は、前記第二底面７ｂ上に配置される色判定センサ２１よりなる群であり、前記長距離センサ群は、前記第一底面７ａ上に配置される色判定センサ２１よりなる群である。ここで、短距離センサ群を構成する各色判定センサ２１と原稿載置面たるプラテンガラス２の表面２ａまでの距離Ｌ２は、長距離センサ群を構成する各色判定センサ２１と表面２ａまでの距離Ｌ１よりも、小である。
【０１１６】
以上構成により、原稿載置面と前記色判定センサとの距離が変化する場合に、それぞれの色判定センサによる色情報の検出領域が重複しにくくなる。
このため、原稿載置台の全領域からの色情報の検出において、領域によって色情報の重みにムラが生じるなどの不具合が防止され、この領域全体で均一な原稿色の判定を行なうことができる。
【０１１７】
第五の発明たる画像処理装置では、第一から第四のいずれかの発明の構成に加えて、次の構成としている。
前記光源群は、各光源から原稿載置面までの距離が短い領域に配置される短距離光源群と、前記距離が長い領域に配置される長距離光源群と、からなり、長距離光源群の配置密度は、短距離光源群の配置密度よりも疎とされるものである。
【０１１８】
本実施の形態では、前記短距離光源群は、前記第二底面７ｂ上に配置される光源２２よりなる群であり、前記長距離光源群は、前記第一底面７ａ上に配置される光源２２よりなる群である。ここで、短距離光源群を構成する各光源と原稿載置面たるプラテンガラス２の表面２ａまでの距離Ｌ２は、長距離光源群を構成する各光源２２と表面２ａまでの距離Ｌ１よりも、小である。
【０１１９】
以上構成により、原稿載置面と前記光源との距離が変化する場合に、光源の配置位置によって、原稿載置面への光照射の光量に過不足が発生しない。
このため、原稿載置台の全領域からの色情報の検出において、領域によって色情報の重みにムラが生じるなどの不具合が防止され、この領域全体で均一な原稿色の判定を行なうことができる。
【０１２０】
第六の発明たる画像処理装置では、第一から第五のいずれかの発明の構成に加えて、次の構成としている。
前記光源群は、各光源から放射された光が原稿載置面で反射して各判定センサに入射するまでの光経路長さが短い領域に配置される短経路光源群と、前記光経路長さが長い領域に配置される長経路光源群と、からなり、
長経路光源群を構成する各光源の光量は、短経路光源群を構成する各光源の光量よりも大とされる、ものである。
【０１２１】
本実施の形態では、前記短経路光源群は、前記第二底面７ｂ上に配置される光源２２よりなる群であり、前記長距離光源群は、前記第一底面７ａ上に配置される光源２２よりなる群である。ここで、前記光経路長さは、各光源２２とプラテンガラス２の表面２ａまでの上下方向距離と、その光源２２に最も近い色判定センサ２１との水平方向距離と、により変化するものであり、第一底面７ａ上に配置される各光源２２の方が、前記第二底面７ｂ上に配置される各光源２２よりも、長いものとなる。
また、長経路光源群を構成する各光源２２の光量は、短経路光源群を構成する各光源２２の光量よりも、印加電圧の相違や、光源自体の構成の相違により、大とされる。
【０１２２】
以上構成により、原稿載置面と前記光源との距離が変化する場合に、光源の配置位置によって、原稿載置面への光照射の光量に過不足が発生しない。
このため、原稿載置台の全領域からの色情報の検出において、領域によって色情報の重みにムラが生じるなどの不具合が防止され、この領域全体で均一な原稿光の判定を行なうことができる。
【０１２３】
第七の発明たる画像処理装置では、第一から第六のいずれかの発明の構成に加えて、次の構成としている。
前記色判定センサ群を構成する各色判定センサの出力に基づいて、原稿載置台上の原稿載置領域を特定する原稿載置領域検出手段を備え、
前記原稿色判定手段は、特定された原稿載置領域に対応する部位に配置された色判定センサの出力に基づいて、原稿色の判定を行なう、ものとしている。
【０１２４】
本実施の形態では、前記原稿載置領域検出手段は、原稿載置エリア判定部１８としている。この原稿載置エリア判定部１８は、色判定センサ２１群のそれぞれが検出する色情報に基づいて、原稿載置台上の領域より原稿がまったく載置されていない領域を特定し、これら原稿のない領域の分布に基づいて、原稿の載置されているエリア、つまり原稿のある領域の全体、を特定するものである。
なお、原稿載置エリアを特定する手段としては、本実施の形態のように、色判定センサ２１群の検出する色情報を利用するものに限定されるものではない。従来よりある、前記読取手段による主走査方向の一ライン読取りと、プラテンガラス２の下方に、一又は複数箇所で配置される原稿有無検出センサによる反射光の有無検出と、により原稿サイズを検出する手段であっても良い。
また、特定された原稿載置領域に対応する部位に配置された色判定センサとは、本実施の形態では、前記原稿載置エリア内にその検出範囲Ｄが含まれる色判定センサ２１のことである。
【０１２５】
以上構成により、前記カラーモノクロ判定が原稿サイズに応じて実行される。
このため、原稿サイズの違いによって、原稿の色情報の検出に取りこぼしが発生したり、原稿のない部分の色情報をも原稿の色情報と誤認したりするような不具合がなく、正確なカラーモノクロ判定が実行される。
【０１２６】
第八の発明たる画像処理装置では、第二の発明の構成に加えて、次の構成としている。
前記原稿種別判定手段での原稿種別の判定は、前記色判定センサの出力に基づくカラーモノクロ判定により原稿がカラー原稿であるかモノクロ原稿であるかの判定であって、
この原稿種別の判定において、例外的にモノクロ原稿であると判定するカラーの原稿色を例外色として登録する例外色記憶手段を備え、
前記原稿種別判定手段は、色判定センサの出力に基づく原稿色が、前記例外色記憶手段に登録されたカラーと一致する場合には、モノクロ原稿であると判定する、ものである。
【０１２７】
前記原稿色判定手段および前記原稿種別判定手段は、本実施の形態では、前記カラーモノクロ判定部１６が兼用する構成である。このカラーモノクロ判定部１６において、カラーモノクロ判定が行なわれると共に、このカラーモノクロ判定に基づいて、原稿種別の判定（カラー原稿かモノクロ原稿であるかの判定）が行なわれる。
ここで、前記例外色とは、例えば、カラー用紙のような背景色だけがカラーの原稿において、コピー記録紙にはカラー印字したくない場合に、そのカラーの背景色をカラー原稿における例外として設定するための色のことである。この例外色が登録される前記例外色記憶手段は、本実施の形態では、例外色用メモリ１９である。
そして、カラーモノクロ判定部１６は、色判定センサ２１群の出力に基づく原稿色（カラーモノクロ判定部１６で検出された原稿色）が、例外色用メモリ１９に登録されている例外色と一致する場合には、その原稿をモノクロ原稿であると判定する。
【０１２８】
以上構成により、カラー原稿を読み取っても、その原稿色が例外色の場合は、自動的に、モノクロ原稿と判定され、モノクロに対応した画像処理が行なわれる。
このため、カラー原稿であるからと言って一律に自動的にモノクロに対応した画像処理が行なわれることがなく、カラー原稿の背景色を無視したい場合など、利用者の便宜に応えた画像処理の自動化が実現される。
【図面の簡単な説明】
【０１２９】
【図１】カラースキャナの概略構成図である。
【図２】カラーモノクロ判定に関わる装置構成のブロック図である。
【図３】色判定センサの配置構成を示す平面図である。
【図４】色判定センサの構成を示す二面図であり、特に（ａ）図は受光方向より見た平面図、（ｂ）図は側面図である。
【図５】（ａ）図は色判定センサとプラテンガラスとの離間距離による検出範囲の相違を示す図であり、（ｂ）図および（ｃ）図はプラテンガラスとの離間距離による色判定センサおよび判定用光源の配置密度、判定用光源の必要光量を示す図である。
【図６】プラテンガラス上の原稿載置エリアを示す図である。
【図７】例外色としてのカラー用紙の取り込み手順を示す図である。
【図８】カラーモノクロ自動判定処理手順を示す図である。
【符号の説明】
【０１３０】
１    カラースキャナ
２  プラテンガラス（原稿載置台）
６    ＣＣＤ（読取手段の一部）
１４    画像処理部
１６    カラーモノクロ判定部（カラーモノクロ判定手段）
１７    ＭＰＵ（制御手段）
１８    原稿載置エリア判定部（原稿載置エリア判定手段）
２１    色判定センサ
２２    判定用光源
２４Ｒ・２４Ｇ・２４Ｂ    フォトセル（光起電力素子）
【図１】
2006148195.tif 000003
【図２】
2006148195.tif 000004
【図３】
2006148195.tif 000005
【図４】
2006148195.tif 000006
【図５】
2006148195.tif 000007
【図６】
2006148195.tif 000008
【図７】
2006148195.tif 000009
【図８】
2006148195.tif 000010